(57)【特許請求の範囲】
【請求項１】
ＬＥＤの発光面に対向する位置に設置される釣鐘状またはコップ状のレンズであって、
前記レンズは、
前記ＬＥＤからの光を取り込む入光凹部と、
中央近傍の一部が凹状に窪んだ出射凹部を有し、前記入光凹部から取り込こんだ光を出射する出射面と、
前記入光凹部と前記出射面をつなぎ、前記入光凹部から取り込こんだ光の一部を前記ＬＥＤの光軸に対して平行な方向から離れる向きにずれた角度の光の強度が最大となる強度分布となるように前記出射面側に反射する反射面と、
を備え、
前記出射凹部の開口部の径は、前記入光凹部と前記反射面との境で反射した光が、前記出射面に向かう光の仮想線よりも内側となる大きさであることを特徴とするレンズ。
【請求項２】
前記反射面で反射した光の強度が最大となる角度と、前記光軸に平行な方向の角度とのずれ量は、前記光軸近傍で反射する光が前記光軸から離れた位置で反射する光に比べて大きいことを特徴とする請求項１に記載のレンズ。
【請求項３】
前記出射凹部は、角度θに傾く傾斜面を有し、
前記反射面で反射した光の強度が最大となる角度と、前記光軸に平行な方向の角度とのずれ量は、前記傾斜面の角度θよりも大きい角度であることを特徴とする請求項１に記載のレンズ。
【請求項４】
前記請求項１〜請求項３のいずれかに記載のレンズと、
このレンズとＬＥＤが収納されるレンズホルダと、
を備えることを特徴とする照明装置。
【発明の詳細な説明】
【技術分野】
【０００１】
本発明は、例えば、ＬＥＤ（Ｌｉｇｈｔ  Ｅｍｉｔｔｉｎｇ  Ｄｉｏｄｅ）とレンズを用いた照明装置に関するものである。
【背景技術】
【０００２】
近年、照明装置の光源としてＬＥＤが用いられている。それに応じて、光を無駄なく前方へ導く照明装置も開発が進んでいる。例えば、レンズ光軸を中心に基端から先端に向かって末広がりな形状をなすレンズをＬＥＤと組み合わせることでＬＥＤからの光を前方へ導いている。このレンズは、側面にはＬＥＤからの光をレンズ内側に反射させる側周面、先端にはＬＥＤからの光を外部に出射する先端面を備えている（例えば、特許文献１参照）。
【先行技術文献】
【特許文献】
【０００３】
【特許文献１】特開２００６−３１０５２１号公報（段落「００１９」〜段落「００２２」、図１参照。）
【発明の概要】
【発明が解決しようとする課題】
【０００４】
特許文献１に記載のようなレンズでは、レンズ側周面に到達した光は全反射によりレンズ光軸に平行な光となるよう設計されている。このため、レンズ先端面の中央に設置する出射凹部の径は反射面で反射した光の経路を妨げない大きさにする必要がある。これらのレンズは一般に材料として樹脂材を使用し、射出成形により製造されている。従来のレンズにおいては、レンズ先端面に設置する出射凹部の径は小さくなり、それに伴いレンズの厚みが増す。厚みのある成形品を成形する場合は、充填させる樹脂量も多く、その樹脂を冷却させるのに時間がかかるため、成形サイクルタイムが長くなる。このことから生産性が低いという問題があった。
【０００５】
本発明は、光の指向性を制御すると共に生産性が高く、安価に成形できるレンズならびにこのレンズを備える照明装置を提供することを目的とする。
【課題を解決するための手段】
【０００６】
本発明は、ＬＥＤの発光面に対向する位置に設置される円錐状のレンズであって、前記レンズは、前記ＬＥＤからの光を取り込む入光凹部と、中央近傍の一部が凹状に窪んだ出射凹部を有し、前記入光凹部から取り込こんだ光を出射する出射面と、前記入光凹部と前記出射面をつなぎ、前記入光凹部から取り込こんだ光の一部を前記ＬＥＤの光軸に対して平行な方向から離れる向きにずれた角度の光の強度が最大となる強度分布となるように前記出射面側に反射する反射面と、を備え、前記出射凹部の開口部の径は、前記入光凹部と前記反射面との境で反射した光が、前記出射面に向かう光の仮想線よりも内側となる大きさであることを特徴とする。
【発明の効果】
【０００７】
本発明によれば、ＬＥＤから反射面に到達した光が、光軸から離れる向きに反射するので、反射面で反射した光のうち、レンズの中央部に設置する出射凹部に向かう光が少なくなるため、出射凹部の径をより大きくすることができる。また、出射凹部の径が大きくなることで、レンズの厚みを薄くすることができ、成形時のサイクルタイムが短縮でき、生産性が向上する。
【図面の簡単な説明】
【０００８】
【図１】実施の形態１における照明装置の斜視図である。
【図２】図１に示す照明装置の分解斜視図である。
【図３】実施の形態１におけるＬＥＤの正面図および断面図である。
【図４】実施の形態１におけるレンズの斜視図および断面図である。
【図５】図１に示す照明装置の一部を模式的に表す分解斜視図である。
【図６】図５に示す照明装置（模式図）の断面図である。
【図７】図６に示すレンズの光路を示す断面図である。
【図８】実施の形態１における光の強度を示す強度分布図である。
【図９】実施の形態２におけるレンズの光路を示す断面図である。
【発明を実施するための形態】
【０００９】
実施の形態１．
本実施の形態における照明装置の構成について、図１、図２に基づいて以下に説明する。
図１は、本実施の形態の照明装置を示す斜視図であり、図２は、図１に示す照明装置の分解斜視図である。
【００１０】
照明装置１０００は、器具本体１００と、この器具本体１００に回転可能に取り付けられるアーム部２００と、このアーム部２００に回動可能に取り付けられる灯具３００と、を備える。
【００１１】
器具本体１００は、天井などに取り付けられる取付部（図示しない）と、外部から商用電源などの供給を受けて、灯具３００に電力を供給する点灯装置（図示しない）を備えている。
【００１２】
灯具３００は、灯具本体３１０と、この灯具本体３１０に取り付けられるＬＥＤモジュール３２０と、このＬＥＤモジュール３２０の前面に取り付けられるレンズホルダ３３０と、このレンズホルダ３３０に収納されるレンズ３４０と、このレンズ３４０およびレンズホルダ３３０の前面に取り付けられ、レンズ３４０をレンズホルダ３３０に固定するレンズ押さえ板３５０と、このレンズ押さえ板３５０を灯具本体３１０内に固定する押さえリング３６０と、を備える。
【００１３】
ＬＥＤモジュール３２０は、白色光を発する４個のＬＥＤ３２１と、このＬＥＤ３２１が実装されるＬＥＤ基板３２２と、を備える。
【００１４】
レンズホルダ３３０は、高反射率の反射面（後述するレンズホルダ凹部３３１）を有する。このレンズホルダ３３０は、ＬＥＤ３２１の位置に対するレンズ３４０の位置決めをし、ＬＥＤ３２１のＬＥＤ光軸Ｌ１とレンズ３４０のレンズ光軸Ｌ２とを一致（または、ほぼ一致）させる。以下、ＬＥＤ光軸Ｌ１とレンズ光軸Ｌ２を合わせて光軸Ｌという場合がある。
【００１５】
レンズ３４０は、ＬＥＤ３２１の正面（ＬＥＤ３２１が光を発する発光面側）に配置されている。
【００１６】
次に、本実施の形態におけるＬＥＤについて、図３に基づいて以下に説明する。
図３は、実施の形態１におけるＬＥＤを示す図である。図３（ａ）は、ＬＥＤの平面図であり、図３（ｂ）は、図３（ａ）に示すＬＥＤのＡ−Ａ’断面図である。
【００１７】
ＬＥＤ３２１は、セラミックスパッケージ３２１ａと、ＬＥＤ素子３２１ｂと、電極３２１ｃと、を備える。
【００１８】
セラミックスパッケージ３２１ａは中心部分に円柱状の凹部３２１ｄを有し、ＬＥＤ素子３２１ｂはセラミックスパッケージ３２１ａの凹部３２１ｄに配置されている。また、セラミックスパッケージ３２１ａの凹部３２１ｄには蛍光体を混入したシリコーン樹脂（以下、「蛍光体３２１ｅ」という。）が充填されている。
【００１９】
セラミックスパッケージ３２１ａは、電力供給用の電極３２１ｃを有し、図示しないワイヤを介して、電極３２１ｃに印加された電力をＬＥＤ素子３２１ｂに供給する。
【００２０】
ＬＥＤ素子３２１ｂは、青色光を発する発光体であり、蛍光体３２１ｅは、ＬＥＤ素子３２１ｂから発せられた青色光を黄色光に波長変換する。ＬＥＤ３２１の発光面３２１ｆからは青色光と黄色光が混光して出射することにより白色光が得られる。
【００２１】
次に、レンズの立体形状および光軸を含んだ断面が成すレンズの断面形状について、図４に基づいて以下に説明する。
【００２２】
図４は、図２の照明装置のレンズを示す斜視図および断面図であり、図４（ａ）は、レンズの入光部側から見たときの斜視図であり、図４（ｂ）は、レンズの出射面側から見たときの斜視図であり、図４（ｃ）はレンズの断面図である。
【００２３】
レンズ３４０は、レンズ光軸Ｌ２を回転の中心とした回転体であり、釣鐘状またはコップ状を成す。但し、レンズ３４０は、釣鐘またはコップのような空洞の物体ではない。
【００２４】
また、レンズ３４０は、アクリル樹脂、ポリカーボネイト樹脂あるいはガラスなどの透明な材料（レンズ素材）で生成されている。
【００２５】
レンズ３４０は、ＬＥＤ３２１が発する光を入射する入光凹部３４１と、この入光凹部３４１に入射した光が出射する出射面３４２と、この出射面３４２に形成される出射凹部３４３と、入光凹部３４１に入射した光を出射面３４２側に反射する反射面３４４と、出射面３４２側から外周方向に突出するレンズ鍔部３４５と、を有する。
【００２６】
入光凹部３４１は、ＬＥＤ３２１の発光面３２１ｆに対向するように、レンズ３４０がレンズホルダ３３０に設置され、レンズ３４０の入光凹部３４１は、球形状とし、球の中心をＬＥＤ３２１の中心としている。つまり、入光凹部３４１の形状は、レンズ３４０を灯具本体３１０に組み込んだ状態のとき、入光凹部３４１の球の中心とＬＥＤ３２１の中心（発光面３２１ｆの発光中心点ｏ）とが一致する球体形状となっている。そのため、ＬＥＤ３２１から発する光は、屈折の作用を受けずに、入光凹部３４１からレンズ３４０内に入射される。
【００２７】
レンズ３４０の反射面３４４は、ｎ次多項式（ｎは偶数）で表される形状を、レンズ光軸Ｌ２を回転の中心として回転させた形状である。
【００２８】
レンズ３４０の出射面３４２は、ＬＥＤ３２１の発光面３２１ｆに平行、かつ、レンズ光軸Ｌ２上を中心とする円形状（基準面）である。
【００２９】
出射凹部３４３は、出射面３４２のレンズ光軸Ｌ２部分に形成され、光軸Ｌを回転の中心とした回転体の形状を有し、曲面状の曲面凸部３４３ａと、この曲面凸部３４３ａから出射面３４２に向けて緩やかに広がる方向に勾配を持つ傾斜面３４３ｂと、からなる。
【００３０】
出射凹部３４３の底面部は、レンズ光軸Ｌ２を回転の中心とした回転体形状を成す曲面凸部３４３ａを有する。
【００３１】
出射凹部３４３の底面部にある曲面凸部３４３ａは、断面形状がレンズ光軸Ｌ２を中心にして対称な山状である。
【００３２】
この曲面凸部３４３ａは、入光凹部３４１に入射したＬＥＤ３２１が発する光を、光軸Ｌとほぼ同一の方向に屈折させる。
【００３３】
また、傾斜面３４３ｂは、レンズ３４０を射出成形で製造する際に、離型性を改善するために、出射凹部３４３の開口部の径が出射凹部３４３の底面部の径（曲面凸部３４３ａの径）より大きくなるように抜き勾配を設けている。抜き勾配（角度θ）は１〜５度が望ましい。
【００３４】
これは、光学系を考慮すると、勾配の角度θを０度とするのが最も望ましいが、レンズ３４０を成型加工した際に、金型を抜く抜き勾配が必要となるからである。一方、勾配の角度θは、反射面３４４によって反射する光が、出射凹部３４３（傾斜面３４３ｂ）に入射しないように設定する必要がある。したがって、勾配の角度θは、入光凹部３４１と反射面３４４との境で反射した光が出射面３４２に向かう勾配と同じか、あるいは小さい勾配であることが望ましい。
【００３５】
また、成形における冷却時間の面において、出射面３４２に出射凹部３４３を設けることで、型と樹脂の接触面積が大きくなり、また樹脂の厚みが薄くなることから、冷却時間を短縮することができる。
【００３６】
また、出射凹部３４３の開口部の径は、入光凹部３４１の開口部の大きさと同等もしくは大きくなっている。
【００３７】
また、出射凹部３４３の開口部の径は、反射面３４４で反射した光が出射凹部３４３に当たらないようにするため、入光凹部３４１と反射面３４４との境で反射した光が、出射面３４２に向かう光の仮想線ＤＬと同等もしくは内側となる大きさにするとよりよい。
【００３８】
レンズ鍔部３４５は、出射面３４２の側面に設けられ、出射面３４２と同心円の形状である。
【００３９】
次に、レンズホルダの形状および光軸を含んだ断面が成すレンズホルダの断面形状について、図５、図６に基づいて以下に説明する。
【００４０】
図５は、図１に示す照明装置の一部を模式的に示す分解斜視図であり、図６は、図５に示す照明装置（模式図）の断面図である。図６は、照明装置（模式図）のＸ−Ｚ平面方向の光軸Ｌを含んだ断面を示している。
【００４１】
レンズホルダ３３０は、レンズ３４０が収納されるレンズホルダ凹部３３１と、レンズ鍔部３４５が設置される環状凹部３３２と、ＬＥＤ３２１が挿入される挿入穴３３３と、を備える。
【００４２】
レンズホルダ凹部３３１は、レンズ３４０の反射面３４４と干渉しない大きさ（形状）である。
【００４３】
環状凹部３３２は、レンズ鍔部３４５を支え、レンズ３４０とＬＥＤ３２１の光軸Ｌがほぼ一致するように、レンズ３４０の位置決めをする。
【００４４】
このように、レンズ３４０は、レンズ鍔部３４５がレンズホルダ３３０の環状凹部３３２上に設置されることでＺ軸方向の位置が決定する。
【００４５】
挿入穴３３３は、レンズホルダ凹部３３１の底面に設けられ、ＬＥＤ３２１が挿入される。この挿入穴３３３は、ＬＥＤ３２１と干渉しない大きさである。
【００４６】
次に、ＬＥＤから出射した光の振る舞いを図７に基づいて以下に説明する。
図７は、図６に示す照明装置のＸ−Ｚ平面における断面に光路を示した断面図である。
【００４７】
レンズ３４０は、ＬＥＤ３２１から発した光を入光凹部３４１で入射し、入射した光を反射面３４４で反射し、反射した光を出射面３４２から出射する。
【００４８】
入光凹部３４１と反射面３４４との境界から引き出され、光軸Ｌに平行な仮想線を仮想線ａ、出射凹部３４３の端部から引き出され、光軸Ｌに平行な仮想線を仮想線ｂ、反射面３４４の出射面３４２側の端部から引き出され光軸Ｌに平行な仮想線を仮想線ｃとし、仮想線ａから仮想線ｂの範囲を範囲Ａ、仮想線ｂから仮想線ｃの範囲を範囲Ｂとする。
【００４９】
（光路αについて）
入光凹部３４１に入射し、直接曲面凸部３４３ａに到達する光の挙動を光路αとし、この光路αの光の挙動を説明する。
【００５０】
入光凹部３４１に入射した光（光路α）が、反射面３４４に到達せずに、出射面３４２に設けられた出射凹部３４３へ向かう。出射凹部３４３へ到達した光は、出射凹部３４３の底面部に設置された曲面凸部３４３ａに入射し、屈折作用を受け出射する。曲面凸部３４３ａから出射する光は、光軸Ｌに平行な向きか、もしくは光軸Ｌに近づく向き、つまり集光する向きに出射する。
【００５１】
（光路βについて）
入光凹部３４１に入射し、反射面３４４の範囲Ａで反射する光を光路βとし、この光路βの光の挙動を説明する。
【００５２】
ＬＥＤ３２１から出射し入光凹部３４１に到達した光（光路β）は、入光凹部３４１による屈折の作用を受けずに、レンズ３４０内に入射される。入射した光のうち、反射面３４４の範囲Ａへ向かう光は、反射面３４４で反射した後に出射面３４２へ向かう。反射面３４４の範囲Ａに到達した光は、出射面３４２へ向かう際に光軸Ｌと平行な向きから少し傾いた、光軸Ｌから離れる向きに出射する。このときの傾きは、出射凹部３４３に設けた抜き勾配の角度θよりも大きい角度である。
【００５３】
（光路γについて）
入光凹部３４１に入射し、反射面３４４の範囲Ｂで反射した光を光路γとし、この光路γの光の挙動を説明する。
【００５４】
ＬＥＤ３２１から出射し入光凹部３４１に到達した光（光路γ）は、入光凹部３４１による屈折の作用を受けずに、レンズ３４０内に入射される。入射した光のうち、反射面３４４の範囲Ｂへ向かう光は、反射面３４４で反射した後に出射面３４２へ向かう。反射面３４４の範囲Ｂに到達した光は、出射面３４２へ向かう際に光軸Ｌに平行な向きに反射し、出射面３４２による屈折作用を受けずに、出射面３４２から出射する。
【００５５】
なお、出射凹部３４３の開口径は、入光凹部３４１の開口径と同様の大きさにする必要がある。これは、反射面３４４で反射した光が出射凹部３４３に到達することで、反射面３４４で制御した光の出射方向を変えないためである。
【００５６】
次に、図７に示すレンズによって得られる光の強度分布について、図８に基づいて以下に説明する。
図８は、レンズの反射面上の１点で反射した光の角度に対する強度分布を示した光の強度分布図である。
図８に示す強度分布の横軸は角度、縦軸は光の強度を表し、光軸Ｌに平行な方向を０度とする。
【００５７】
例えば、反射面が回転放物面形状をし、ＬＥＤ３２１の発光中心点ｏを放物面の焦点に設置した場合（従来の形態）は、強度分布Ｐ０で示すように、光軸Ｌ上に強度のピークを持つ分布になる。
【００５８】
それに対し、本実施の形態の反射面３４４の形状を持つ場合において、図８で示す光軸Ｌの右半分から出射される光の強度分布は、強度分布Ｐｒで示すように強度のピークは光軸Ｌから離れた位置となる。なお、光軸Ｌの左半分から出射される光の強度分布は、強度分布Ｐｌで示される。
【００５９】
この実施の形態によれば、出射凹部３４３の開口径を大きくすることができるので、レンズ３４０の厚みを薄くすることができ、成形サイクルタイムが短縮でき、生産性を向上させることができる。さらには、出射凹部３４３の開口径を大きくすることができるため、レンズ３４０に要する樹脂量を少なくすることができ、安価なレンズ３４０を提供することができる。
【００６０】
なお、レンズ入光凹部３４１、反射面３４４、曲面凸部３４３ａの形状は特に限定されない。例えば、回転楕円形状や回転双曲面形状、回転多項式面などが挙げられる。
【００６１】
また、本実施の形態では、ＬＥＤ３２１が発する光色を白色とする場合について説明したが、ＬＥＤ３２１が発する光色を電球色などの他色としてもよい。
【００６２】
また、本実施の形態では、ＬＥＤモジュール３２０は、４個のＬＥＤ３２１を実装する場合について説明したが、ＬＥＤ３２１の数は４個以外であっても構わない。
【００６３】
また、本実施の形態では、レンズ鍔部３４５の形状を出射面３４２と同心円の形状とする場合について説明したが、レンズ鍔部３４５の形状は、レンズホルダ３３０（環状凹部３３２）の形状に合わせればよく、多角形などの形状であっても構わない。
【００６４】
また、本実施の形態では、照明装置１０００の形態の一例として、スポットライトの場合について説明したが、照明装置１０００の形態は、ダウンライトや天井直付け照明器具などの他の形態であっても構わない。
【００６５】
実施の形態２．
本実施の形態は、実施の形態１のレンズの構造（光の挙動）が異なるものである。本実施の形態において、実施の形態１と同様の構成については同符号を付して説明を省略し、実施の形態１と異なる部分について説明する。
【００６６】
図９は、本実施の形態を示すレンズの断面図である。
入光凹部３４１と反射面３４４’との境界から引き出され、光軸Ｌに平行な仮想線を仮想線ａ、出射凹部３４３の端部から引き出され、光軸Ｌに平行な仮想線を仮想線ｂ、反射面３４４の出射面３４２側の端部から引き出され光軸Ｌに平行な仮想線を仮想線ｃとし、仮想線ａから仮想線ｂの範囲を範囲Ａ、仮想線ｂから仮想線ｃの範囲を範囲Ｂとする。
【００６７】
入光凹部３４１から入射し、出射凹部３４３から出射する光を光路α、入光凹部３４１から入射し、反射面３４４’で反射して出射面３４２から出射する光を光路β、入光凹部３４１から入射し、直接出射面３４２から出射する光を光路γとする。
【００６８】
（光路αについて）
入光凹部３４１に入射し、直接曲面凸部３４３ａに到達する光の挙動を光路αとし、この光路αの光の挙動を説明する。
【００６９】
入光凹部３４１に入射した光（光路α）が、反射面３４４’に到達せずに、出射面３４２に設けられた出射凹部３４３へ向かい、出射凹部３４３へ到達した光は、出射凹部３４３の底面部に設置された曲面凸部３４３ａに入射し、屈折作用を受け出射する。曲面凸部３４３ａから出射する光は、光軸Ｌに平行な向きか、もしくは光軸Ｌに近づく向き、つまり集光する向きに出射する。
【００７０】
（光路βについて）
入光凹部３４１に入射し、反射面３４４’の範囲Ａで反射する光を光路βとし、この光路βの光の挙動を説明する。
【００７１】
反射面３４４’のうち、範囲Ａの部分に到達した光（光路β）は、出射凹部３４３に設けた抜き勾配の角度θよりも大きい角度で出射面３４２へ向かうよう設計する。つまり、範囲Ａで反射した光は、出射凹部３４３に到達することなく、出射面３４２に到達する。
【００７２】
なお、範囲Ａに到達した光（光路β）が反射面３４４’で反射され出射面３４２へ向かう際の傾きは、範囲Ａの中でより光軸Ｌに近い部分に到達した光ほど、出射凹部３４３に設けた抜き勾配の角度θより大きくなければならないが、反射後に出射面３４２へ向かう光の傾きは、範囲Ａの中で光軸Ｌから離れるにしたがって、光軸Ｌに近い部分で反射した光の傾きよりも小さくしても良い。また、この反射後の光の傾きは、光軸Ｌに近づくほど角度が大きくなるように、範囲Ａ内で連続的に変化させてもよい。
【００７３】
（光路γ’について）
入光凹部３４１に入射し、反射面３４４’の範囲Ｂで反射する光を光路γ’とし、この光路γ’の光の挙動を説明する。
【００７４】
反射面３４４’のうち、範囲Ｂの部分に到達した光（光路γ’）は、出射凹部３４３に到達しないよう、光軸Ｌに平行な光として、もしくは光軸Ｌと平行な方向から離れる向きに傾いた光として出射面３４２へ向かう。
【００７５】
また、範囲Ｂに到達した光（光路γ’）が反射面３４４で反射され出射面３４２へ向かう際の傾きは、範囲Ｂの中でより光軸Ｌに近い部分に到達した光ほど、反射面３４４’で反射された後に光軸Ｌと平行な向きか、もしくは光軸Ｌから離れる向きに出射される。範囲Ｂの中で光軸Ｌから離れるにしたがって、反射後に出射面３４２へ向かう際の傾きは、範囲Ｂ内で光軸Ｌにより近い部分で反射した光の傾きよりも小さくても良く、反射後の光が出射凹部３４３に入射しない範囲であれば、光軸Ｌに近づく向きに傾いて出射されてもよい。
【００７６】
ここで、実施の形態１のように反射面３４４に到達した光（光路γ）を、反射面３４４にて光軸Ｌに平行な方向に反射させた場合は、反射面３４４で反射した光が出射凹部３４３に到達し出射方向が乱されることを抑制するため、出射凹部３４３の開口径を入光凹部３４１の開口径より小さくする必要がある。
【００７７】
しかしながら、この実施の形態では、光軸Ｌに平行な方向とした場合（光路γ）に比べ、反射面３４４’において反射する光（光路γ’）の出射方向を、出射凹部３４３に設けた抜き勾配の角度θよりも大きい角度とするので、出射凹部３４３の開口径を大きくすることができる。
【００７８】
以上のように、反射面３４４’に到達した光（光路β、光路γ’）は、到達した角度に応じて反射後の光の出射角度が異なる。反射面３４４のうち、範囲Ａに到達した光（光路β）は、出射凹部３４３に設けた抜き勾配の角度θよりも大きい角度で出射面３４２へ向かうことで、反射面３４４で反射した光が、出射凹部３４３に到達する可能性が低くなり、より効率的に光の制御を行うことができる。
【００７９】
また、レンズ３４０の反射面３４４’の形状を区間ごとに変えて設計することにより、設計自由度が広がり光の制御性を上げることができる。
【００８０】
また、本実施の形態において、説明の便宜上、反射面３４４’の範囲Ａで反射した光（光路β）と、反射面３４４’の範囲Ｂで反射した光（光路γ’）とを分けて説明したが、反射面３４４’で反射する反射角は連続的に変化させてもよい。この場合、反射面３４４’に到達した光のうち光軸Ｌに垂直な方向からの角度が小さい光は、反射面３４４’で光軸Ｌから離れる向きに傾いて反射し、光軸Ｌに垂直な方向からの角度が大きくなるにつれて、光軸Ｌからの傾きが小さくなる、つまり光軸Ｌに平行に近づく向きに反射する。
【符号の説明】
【００８１】
１０００  照明器具、１００  器具本体、２００  アーム部、３００  灯具、３１０  灯具本体、３２０  ＬＥＤモジュール、３２１  ＬＥＤ、３２１ａ  セラミックパッケージ、３２１ｂ  ＬＥＤ素子、３２１ｃ  電極、３２１ｄ  凹部、３２１ｅ  蛍光体、３２２  ＬＥＤ基板、３３０  レンズホルダ、３３１  レンズホルダ凹部、３３２  環状凹部、３４０  レンズ、３４１  入光凹部、３４２  出射面、３４３  出射凹部、３４３ａ  曲面凸部、３４３ｂ  傾斜面、３４４、３４４’  反射面、３４５  レンズ鍔部、３５０  レンズ押さえ板、３６０  押さえリング。
【図１】
0005531678.tif 000002
【図２】
0005531678.tif 000003
【図３】
0005531678.tif 000004
【図４】
0005531678.tif 000005
【図５】
0005531678.tif 000006
【図６】
0005531678.tif 000007
【図７】
0005531678.tif 000008
【図８】
0005531678.tif 000009
【図９】
0005531678.tif 000010